(57)【特許請求の範囲】
【請求項１】
外箱部材（２）を直方体箱状に組み立るとともに、内箱部材（３）を直方体箱状に組み立て、この外箱部材にこの内箱部材を出し入れ自在に組み込んで完成させるティッシュボックス組立キット（１）であって、
前記外箱部材として、
第１側面部（２１）、第２側面部（２２）、第３側面部（２３）および第４側面部（２４）を順に直角に折曲自在に連設し、これら第１側面部、第２側面部、第３側面部および第４側面部の上辺にそれぞれ当該上辺から隣接する上記側面部の幅（Ｗ１、Ｗ２、Ｗ３、Ｗ４）の１／２の長さ寸法突出する上面フラップ（２５、２６、２７、２８）を直角に折曲自在に連設し、対向する一対の上記上面フラップ（２５、２７）に、長軸対称となる半楕円形のティッシュ取出片（２５ａ、２７ａ）を形成し、他の一対の上記上面フラップ（２６、２８）に、短軸対称となる半楕円形のティッシュ取出片（２６ａ、２８ａ）を形成した外箱部材を採用し、
前記内箱部材として、
上面部（３１）、第１側面部（３２）、底面部（３３）および第２側面部（３４）を順に直角に折曲自在に連設し、前記上面部および前記底面部の対向２辺にそれぞれ一対の横フラップ（３５、３７）を直角に折曲自在に連設し、前記第１側面部および前記第２側面部の対向２辺にそれぞれ一対の縦フラップ（３６、３８）を直角に折曲自在に連設し、前記上面部にティッシュ取出口（３１ａ）を形成するとともに、上記底面部に引抜穴（３３ａ）を形成した内箱部材を採用したことを特徴とするティッシュボックス組立キット。
【請求項２】
外箱部材（２）および内箱部材（３）の出し入れ方向における組立投影図形をいずれも長方形とし、内箱部材の長方形の長辺（Ｌ１、Ｌ２）を外箱部材の長方形の短辺（Ｗ２、Ｗ４）より長くしたことを特徴とする請求項１に記載のティッシュボックス組立キット。
【請求項３】
外箱部材（２）の表面に貼付しうる帯状装飾部材（５）を添付したことを特徴とする請求項１または請求項２に記載のティッシュボックス組立キット。
【発明の詳細な説明】
【０００１】
【発明の属する技術分野】
本発明は、家庭や店舗などで使用されるティッシュボックスを組み立てるためのティッシュボックス組立キット（組立部品一式）に関するものである。
【０００２】
【従来の技術】
従来この種のティッシュボックスとしては、引出し箱にティッシュボックスを載置し、これをティッシュペーパーケースにその側面開口部から出し入れ自在に挿入したものが知られている（例えば、特許文献１参照）。
【０００３】
【特許文献１】
特開２０００−３３９７９号公報（段落〔００１２〕の欄、図２）
【０００４】
【発明が解決しようとする課題】
しかし、これでは、ティッシュペーパーボックスを入れ替えることで長期間にわたって使えるものの、完成品であるが故に使い手がその作製過程を楽しめないという不都合があった。
【０００５】
本発明は、このような事情に鑑み、耐用期間の長いティッシュボックスを使い手が楽しみながら作ることが可能なティッシュボックス組立キットおよびその組立方法を提供することを目的とする。
【０００６】
【課題を解決するための手段】
まず、本発明のうち請求項１に係る発明は、外箱部材（２）を直方体箱状に組み立るとともに、内箱部材（３）を直方体箱状に組み立て、この外箱部材にこの内箱部材を出し入れ自在に組み込んで完成させるティッシュボックス組立キット（１）であって、前記外箱部材として、第１側面部（２１）、第２側面部（２２）、第３側面部（２３）および第４側面部（２４）を順に直角に折曲自在に連設し、これら第１側面部、第２側面部、第３側面部および第４側面部の上辺にそれぞれ当該上辺から隣接する上記側面部の幅（Ｗ１、Ｗ２、Ｗ３、Ｗ４）の１／２の長さ寸法突出する上面フラップ（２５、２６、２７、２８）を直角に折曲自在に連設し、対向する一対の上面フラップ（２５、２７）に、長軸対称となる半楕円形のティッシュ取出片（２５ａ、２７ａ）を形成し、他の一対の上面フラップ（２６、２８）に、短軸対称となる半楕円形のティッシュ取出片（２６ａ、２８ａ）を形成した外箱部材を採用し、前記内箱部材として、上面部（３１）、第１側面部（３２）、底面部（３３）および第２側面部（３４）を順に直角に折曲自在に連設し、前記上面部および前記底面部の対向２辺にそれぞれ一対の横フラップ（３５、３７）を直角に折曲自在に連設し、前記第１側面部および前記第２側面部の対向２辺にそれぞれ一対の縦フラップ（３６、３８）を直角に折曲自在に連設し、前記上面部にティッシュ取出口（３１ａ）を形成するとともに、上記底面部に引抜穴（３３ａ）を形成した内箱部材を採用して構成される。
【０００７】
また、本発明のうち請求項２に係る発明は、上記外箱部材（２）および上記内箱部材（３）の出し入れ方向における組立投影図形をいずれも長方形とし、内箱部材の長方形の長辺（Ｌ１、Ｌ２）を外箱部材の長方形の短辺（Ｗ２、Ｗ４）より長くして構成される。かかる構成により、外箱部材と内箱部材との角度整合性が保持されるように作用する。
【０００８】
また、本発明のうち請求項３に係る発明は、上記外箱部材（２）の表面に貼付しうる帯状装飾部材（５）を添付して構成される。ここで、帯状装飾部材の代表例としては装飾紙（５）が挙げられる。かかる構成により、ティッシュボックスの外観装飾性が帯状装飾部材によって高まるように作用する。
【００１１】
なお、括弧内の符号は図面において対応する要素を表す便宜的なものであり、したがって、本発明は図面上の記載に限定拘束されるものではない。このことは「特許請求の範囲」の欄についても同様である。
【００１２】
【発明の実施の形態】
以下、本発明の実施形態を図面に基づいて説明する。
図１は本発明に係るティッシュボックス組立キットの一実施形態を示す展開図であって、（ａ）は外箱部材の図、（ｂ）は内箱部材の図、
図２は図１に示すティッシュボックス組立キットの組立過程（内箱部材にティッシュペーパーを詰める過程）を示す斜視図、
図３は図１に示すティッシュボックス組立キットの組立過程（外箱部材に内箱部材を組み込む過程）を示す斜視図、
図４は図１に示すティッシュボックス組立キットの組立過程（外箱部材に装飾紙を貼り付ける過程）を示す斜視図である。
【００１３】
このティッシュボックス組立キット１は、図１に示すように、所定の厚さＴ１（例えば、Ｔ１＝１．２mm）の厚紙からなる外箱部材２と、所定の厚さ（例えば、０．６mm）の紙からなる内箱部材３とから構成されており、外箱部材２では、図１（ａ）に示すように、第１側面部２１、第２側面部２２、第３側面部２３および第４側面部２４が順に直角に折曲自在に連設されている。これら第１側面部２１、第２側面部２２、第３側面部２３および第４側面部２４の上辺にはそれぞれ上面フラップ２５、２６、２７、２８が直角に折曲自在に連設されており、各上面フラップ２５、２６、２７、２８には半楕円形のティッシュ取出片２５ａ、２６ａ、２７ａ、２８ａが形成されている。さらに、第４側面部２４の側辺には接着フラップ２９が直角に折曲自在に連設されている。
【００１４】
ここで、第１側面部２１と第３側面部２３とは互いに合同な長方形となっているとともに、第２側面部２２と第４側面部２４とは互いに合同な長方形となっており、第１側面部２１および第３側面部２３の幅Ｗ１、Ｗ３は第２側面部２２および第４側面部２４の幅Ｗ２、Ｗ４よりやや広くなっている。また、第１側面部２１および第３側面部２３の高さＨ１、Ｈ３は、外箱部材２の厚さＴ１に等しい分だけ第２側面部２２および第４側面部２４の高さＨ２、Ｈ４より高くなっている。
【００１５】
他方、内箱部材３では、図１（ｂ）に示すように、上面部３１、第１側面部３２、底面部３３および第２側面部３４が順に直角に折曲自在に連設されており、上面部３１の側辺には接着フラップ３９が直角に折曲自在に連設されている。また、上面部３１および底面部３３の対向２辺にはそれぞれ一対の横フラップ３５（３５Ａ、３５Ｂ）、３７（３７Ａ、３７Ｂ）が直角に折曲自在に連設されているとともに、第１側面部３２および第２側面部３４の対向２辺にはそれぞれ一対の縦フラップ３６（３６Ａ、３６Ｂ）、３８（３８Ａ、３８Ｂ）が直角に折曲自在に連設されている。さらに、上面部３１の中央部には楕円形のティッシュ取出口３１ａが形成されており、底面部３３の中央部には円形の引抜穴３３ａが形成されている。
【００１６】
ここで、上面部３１と底面部３３とは互いに合同な長方形となっており、上面部３１および底面部３３の長辺Ｌ１、Ｌ２は外箱部材２の第１側面部２１および第３側面部の幅Ｗ１、Ｗ３よりやや短くなっているとともに、上面部３１の短辺Ｓ１および底面部３３の短辺Ｓ２は外箱部材２の第２側面部２２および第４側面部２４の幅Ｗ２、Ｗ４よりやや短くなっている。ただし、上面部３１および底面部３３の長辺Ｌ１、Ｌ２は、外箱部材２の第２側面部２２、第４側面部２４の幅Ｗ２、Ｗ４より長くなっている。また、第１側面部３２と第２側面部３４とは互いに合同な長方形となっており、第１側面部３２および第２側面部３４の高さＨ５、Ｈ６は、外箱部材２の第２側面部２２および第４側面部２４の高さＨ２、Ｈ４に等しくなっている。
【００１７】
ティッシュボックス組立キット１は以上のような構成を有するので、このティッシュボックス組立キット１を用いてティッシュボックスを作る際には次の手順による。
【００１８】
まず、外箱部材２を直方体箱状に組み立てる。それには、外箱部材２の第１側面部２１、第２側面部２２、第３側面部２３および第４側面部２４を直角に折り曲げ、接着フラップ２９を第１側面部２１に糊付けする。その後、上面フラップ２６、２８を内側へ直角に折り曲げた後、その上から上面フラップ２５、２７を内側へ直角に折り曲げて固着する。このとき、第１側面部２１および第３側面部の高さは第２側面部２２および第４側面部２４の高さより所定距離だけ高くなっているので、上面フラップ２５、２６、２７、２８の折曲作業は支障なく行われる。
【００１９】
すると、外箱部材２は直方体箱状に組み立てられた状態となり、その上面は、上面フラップ２５、２６、２７、２８のティッシュ取出片２５ａ、２６ａ、２７ａ、２８ａが重なって楕円形となる。また、この外箱部材２の出し入れ方向における組立投影図形は、第１側面部２１、第３側面部の幅Ｗ１、Ｗ３を長辺とし、第２側面部２２、第４側面部２４の幅Ｗ２、Ｗ４を短辺とする長方形となる。
【００２０】
他方、内箱部材３を直方体箱状に組み立てる。それには、内箱部材３の上面部３１、第１側面部３２、底面部３３および第２側面部３４を直角に折り曲げ、接着フラップ３９を第２側面部３４に糊付けする。そして、横フラップ３５Ａ、３７Ａを内側へ直角に折り曲げた後、縦フラップ３６Ａ、３８Ａを内側へ直角に折り曲げ、これら縦フラップ３６Ａ、３８Ａの重なり代を利用して互いに糊付けする。一方、縦フラップ３６Ｂ、３８Ｂと横フラップ３５Ｂ、３７Ｂを開いたまま、図２に示すように、ティッシュペーパー４を山折りにして内箱部材３に詰め、横フラップ３５Ｂ、３７Ｂを内側へ直角に折り曲げた後、縦フラップ３６Ｂ、３８Ｂを内側へ直角に折り曲げる。このとき、縦フラップ３６Ｂ、３８Ｂは互いに糊付けせずに開閉自在のままにしておく。なお、ティッシュペーパー４を内箱部材３に詰める向きは、ティッシュボックスの完成後にティッシュペーパー４をティッシュ取出口３１ａから１枚ずつ取り出しやすくするため、図２に示すように、ティッシュペーパー４の折り軸が内箱部材３のティッシュ取出口３１ａの短軸に平行となるようにする。
【００２１】
すると、内箱部材３は直方体箱状に組み立てられた状態となり、この内箱部材３の出し入れ方向における組立投影図形は、上面部３１、底面部３３の長辺Ｌ１、Ｌ２を長辺とし、上面部３１、底面部３３の短辺Ｓ１、Ｓ２を短辺とする長方形となる。
【００２２】
こうして外箱部材２および内箱部材３が直方体箱状に組み立てられたところで、図３に示すように、外箱部材２に内箱部材３を組み込む。このとき、外箱部材２および内箱部材３はいずれも、その出し入れ方向における組立投影図形が長方形となっているので、外箱部材２と内箱部材３との角度整合性は保持される。つまり、内箱部材３は外箱部材２に対して常に正しい角度で組み込まれることになり、外箱部材２のティッシュ取出片２５ａ、２６ａ、２７ａ、２８ａが内箱部材３のティッシュ取出口３１ａに対して９０°ずれて整合しない事態は生じない。また、内箱部材３は横フラップ３５、３７の上に縦フラップ３６、３８が重なっているので、外箱部材２に対して内箱部材３を出し入れするときに、内箱部材３の横フラップ３５、３７が外箱部材２の第１側面部２１、第３側面部２３の端部に引っ掛かって出し入れに支障を来す恐れはない。
【００２３】
ここで、ティッシュボックス組立キット１の組立作業が終了し、ティッシュボックスが出来上がる。
【００２４】
また、ティッシュボックス内のティッシュペーパー４を使い切ったときには、内箱部材３の引抜穴３３ａに手指を引っ掛けて内箱部材３を外箱部材２から引き抜き、上述した手順でティッシュペーパー４を内箱部材３内に補充した後、内箱部材３を元どおり外箱部材２に組み込めばよい。
【００２５】
なお、上述の実施形態においては、外箱部材２を直方体箱状に組み立てるだけで完成とした場合について説明したが、外箱部材２に装飾紙を帯状装飾部材として貼り付けてティッシュボックスの外観装飾性を高めることもできる。
【００２６】
すなわち、外箱部材２を直方体箱状に組み立てた後、この外箱部材２の上面に装飾紙（図示せず）を貼り付けた後、図４に示すように、外箱部材２の４側面（第１側面部２１、第２側面部２２、第３側面部２３および第４側面部２４）に装飾紙５を貼り付ける。それには、図４（ａ）に示すように、装飾紙５の巻き始め端部５ａを第２側面部２２の端に合致させ、図４（ｂ）に示すように、装飾紙５を第３側面部２３、第４側面部２４、第１側面部２１と順に貼り付けていく。なお、糊を塗るのは装飾紙５の裏面ではなく外箱部材２の４側面とするが、装飾紙５の巻き始め端部５ａに対応する外箱部材２部分には糊を塗らないようにする。そして、図４（ｃ）に示すように、装飾紙５の巻き終わり端部５ｂを第２側面部２２に貼り付けた後、その巻き終わり端部５ｂの上から巻き始め端部５ａを貼り付ける。すると、装飾紙５の巻き終わり端部５ｂが第２側面部２２上のどの位置に来ようが、巻き始め端部５ａが第２側面部２２の端にぴったり合致した形で巻き終わり端部５ｂを覆い隠すので、見栄えのするティッシュボックスが出来上がる。
【００２７】
また、上述の実施形態では一対の縦フラップ３６、３８が互いに重なり代を有する場合について説明したが、片方（ティッシュペーパー４を詰める方）の縦フラップ３６、３８については、その重なり代をなくして誤接着を未然に防ぐようにすることも可能である。
【００２８】
さらに、上述の実施形態では帯状装飾部材として装飾紙５を用いた場合について説明したが、装飾紙５以外の帯状装飾部材（例えば、装飾布、ビニールクロス、壁紙、装飾用リボンなど）を代用しても構わない。
【００２９】
【発明の効果】
以上説明したように、本発明のうち請求項１〜３に係る発明によれば、耐用期間の長いティッシュボックスを使い手が楽しみながら作ることが可能なティッシュボックス組立キットを提供することができる。
【図面の簡単な説明】
【図１】本発明に係るティッシュボックス組立キットの一実施形態を示す展開図であって、（ａ）は外箱部材の図、（ｂ）は内箱部材の図である。
【図２】図１に示すティッシュボックス組立キットの組立過程（内箱部材にティッシュペーパーを詰める過程）を示す斜視図である。
【図３】図１に示すティッシュボックス組立キットの組立過程（外箱部材に内箱部材を組み込む過程）を示す斜視図である。
【図４】図１に示すティッシュボックス組立キットの組立過程（外箱部材に装飾紙を貼り付ける過程）を示す斜視図である。
【符号の説明】
１……ティッシュボックス組立キット
２……外箱部材
３……内箱部材
２１……第１側面部
２２……第２側面部
２３……第３側面部
２４……第４側面部
２５、２６、２７、２８……上面フラップ
２５ａ、２６ａ、２７ａ、２８ａ……ティッシュ取出片
３１……上面部
３１ａ……ティッシュ取出口
３２……第１側面部
３３……底面部
３４……第２側面部
３５、３７……横フラップ
３６、３８……縦フラップ
５……装飾紙（帯状装飾部材）
５ａ……巻き始め端部
５ｂ……巻き終わり端部
【図１】
0003685165.tif 000002
【図２】
0003685165.tif 000003
【図３】
0003685165.tif 000004
【図４】
0003685165.tif 000005